(57)【要約】      （修正有）【課題】着用者に足の裏の親指の付け根、小指の付け根および踵の３点に重心を意識させることにより、疲れにくく理想的な３点立ちを容易に行うことができるようにして、着用者に姿勢よく歩く楽しさ、大切さを実感させることができるソックスを提供する。【解決手段】足首部３の内側の踝部３ａから足甲部５の中央部の内側を介して足裏部６の拇趾球部６ａを越えて伸びる領域に設けられた帯状の第１着圧領域２２と、足首部の外側の踝部から足甲部の中央部の外側を介して足裏部の小趾球部を越えて伸びる領域に設けられた帯状の第２着圧領域と、足首部の内外の両踝部を踵部４を介して最短距離で結ぶ領域に設けられた帯状の第３着圧領域２４と、足裏部の土踏まず部６ｃと足甲部の中央部とを結ぶ領域に設けられた環状の第４着圧領域２５とを設ける。【選択図】図１
0003161696.tif 000002
【実用新案登録請求の範囲】
【請求項１】
口ゴム部と、内外の踝を含む足首に装着される足首部と、踵を覆う踵部と、足の甲を覆う足甲部と、拇趾球および小趾球ならびに土踏まずを含む足の裏を覆う足裏部と、爪先を覆う爪先部とを有しているとともに、着用状態において足および／または足首に対して部分的に圧力を加える着圧領域が設けられているソックスであって、
前記着圧領域は、着用状態で、拇趾球への荷重を促す第１着圧領域と、小趾球への荷重を促がす第２着圧領域と、踵を固定して踵の軸を安定させる第３着圧領域と、足裏に横アーチの形成を促すとともに前記横アーチを上方に引き上げる第４着圧領域とを有することを特徴とするソックス。
【請求項２】
口ゴム部と、内外の踝を含む足首に装着される足首部と、踵を覆う踵部と、足の甲を覆う足甲部と、拇趾球および小趾球ならびに土踏まずを含む足の裏を覆う足裏部と、爪先を覆う爪先部とを有しているとともに、着用状態において足および／または足首に対して部分的に圧力を加える着圧領域が設けられているソックスであって、
前記着圧領域は、
前記足首部の内側の踝部から前記足甲部の中央部の内側を介して前記足裏部の拇趾球部を越えて伸びる領域に設けられた帯状の第１着圧領域と、
前記足首部の外側の踝部から前記足甲部の中央部の外側を介して前記足裏部の小趾球部を越えて伸びる領域に設けられた帯状の第２着圧領域と、
前記足首部の内外の両踝部を前記踵部を介して最短距離で結ぶ領域に設けられた帯状の第３着圧領域と、
前記足裏部の土踏まず部と前記足甲部の中央部とを結ぶ領域に設けられた環状の第４着圧領域とを有し、
着用状態で、前記第１着圧領域が拇趾球への荷重を促し、前記第２着圧領域が小趾球への荷重を促し、前記第３着圧領域が踵を固定して踵の軸を安定させ、前記第４着圧領域が足裏に横アーチの形成を促すとともに前記横アーチを上方に引き上げることを特徴とするソックス。
【請求項３】
前記足首部の内外の踝部を前記足首部の後面を介して結ぶ帯状領域に、足首に圧力を加える第５着圧領域が設けられている請求項１または２に記載のソックス。
【請求項４】
前記足首部の内外の両踝部に、踝の位置を示す踝マークが設けられている請求項１〜３のいずれか１項に記載のソックス。
【考案の詳細な説明】
【技術分野】
【０００１】
本考案は、疲れにくく理想的な立ち方、具体的には足の裏の親指の付け根、小指の付け根および踵に重心をおいて立つ３点立ちによる立ち方を着用者に意識させ、この３点立ちが容易にできるようにすることで、着用者に姿勢よく歩く楽しさ・大切さを実感させることのできるソックスに関する。
【背景技術】
【０００２】
従来、下腿および足に圧力を加えるソックスとして、特許文献１のものが提案されている。特許文献１のソックスは、口ゴム部と前面の脛側及び後面の膨ら脛側からなるレッグ部と足首部と踵部と土踏まず部位を含むフート部とからなる着圧ハイソックスにおいて、少なくともレッグ部と足首部と土踏まず部位を含むフート部に表糸に紡績糸、裏糸にフィラメント・ツイスト・ヤーンを使用するとともに弾性糸からなる挿入糸を挿通して編成し、爪先部と前記踵部に前記表糸と裏糸に補強糸を挿入して編成し、前記レッグ部を上部から下部に順次編目長を短く編成するとともに、前記脛側の編目長を長く前記膨ら脛側の編目長を短くし、前記挿入糸の供給量を前記レッグ部を上部から下部に順次減少して編成したことを特徴としている（請求項１）。
【０００３】
特許文献１のソックスは、レッグ部は膨ら脛側を主体に加圧し、そして土踏まず部位を含めて足首部を強圧にし、レッグ部の下部から上部へ着圧を段階的に減少させて総合的な静脈血流の流れを良くするようにし、この圧迫力による刺激で足の疲労回復を早めるようにしたものである（段落０００７）。
【先行技術文献】
【特許文献】
【０００４】
【特許文献１】特開２００５−３２５４８６号公報
【考案の概要】
【考案が解決しようとする課題】
【０００５】
人間の正しい姿勢は、人間の見た目を美しくするだけでなく、身体の最良のパフォーマンスを引き出し、健康までも作り出す。したがって、自分の身体の正しい姿勢およびバランスの心地よさを意識することは重要である。
【０００６】
しかし、特許文献１のソックスは、自分の身体の正しい姿勢およびバランスの心地よさを意識させるものではなかった。
【０００７】
本考案は、上述した事情に鑑みてなされたもので、着用者に足の裏の親指の付け根、小指の付け根および踵の３点に重心を意識させることにより、疲れにくく理想的な３点立ちを容易に行うことができるようにして、着用者に姿勢よく歩く楽しさ・大切さを実感させることができるソックスを提供することを目的とする。
【課題を解決するための手段】
【０００８】
本考案は、前記目的を達成するため、口ゴム部と、内外の踝を含む足首に装着される足首部と、踵を覆う踵部と、足の甲を覆う足甲部と、拇趾球および小趾球ならびに土踏まずを含む足の裏を覆う足裏部と、爪先を覆う爪先部とを有しているとともに、着用状態において足および／または足首に対して部分的に圧力を加える着圧領域が設けられているソックスであって、
前記着圧領域は、着用状態で、拇趾球への荷重を促す第１着圧領域と、小趾球への荷重を促がす第２着圧領域と、踵を固定して踵の軸を安定させる第３着圧領域と、足裏に横アーチの形成を促すとともに前記横アーチを上方に引き上げる第４着圧領域とを有することを特徴とするソックスを提供する。
【０００９】
より具体的には、本考案は、口ゴム部と、内外の踝を含む足首に装着される足首部と、踵を覆う踵部と、足の甲を覆う足甲部と、拇趾球および小趾球ならびに土踏まずを含む足の裏を覆う足裏部と、爪先を覆う爪先部とを有しているとともに、着用状態において足および／または足首に対して部分的に圧力を加える着圧領域が設けられているソックスであって、
前記着圧領域は、
前記足首部の内側の踝部から前記足甲部の中央部の内側を介して前記足裏部の拇趾球部を越えて伸びる領域に設けられた帯状の第１着圧領域と、
前記足首部の外側の踝部から前記足甲部の中央部の外側を介して前記足裏部の小趾球部を越えて伸びる領域に設けられた帯状の第２着圧領域と、
前記足首部の内外の両踝部を前記踵部を介して最短距離で結ぶ領域に設けられた帯状の第３着圧領域と、
前記足裏部の土踏まず部と前記足甲部の中央部とを結ぶ領域に設けられた環状の第４着圧領域とを有し、
着用状態で、前記第１着圧領域が拇趾球への荷重を促し、前記第２着圧領域が小趾球への荷重を促し、前記第３着圧領域が踵を固定して踵の軸を安定させ、前記第４着圧領域が足裏に横アーチの形成を促すとともに前記横アーチを上方に引き上げることを特徴とするソックスを提供する。
【００１０】
本考案において、前記足首部の内外の両踝部に、踝の位置を示す踝マークが設けられている構成とすることができる。そして、このような構成を採用したことにより、着用時において内外の両踝の位置を確かめながら着用することができるので、着用者に足の正しいバランスを意識させることができる。
【考案の効果】
【００１１】
本考案のソックスは、着用者に足の裏の親指の付け根、小指の付け根および踵の３点に重心を意識させることにより、疲れにくく理想的な３点立ちを容易に行うことができるため、足が疲れやすかったり、歩く姿勢に自信がなかったりする着用者に、姿勢よく歩く楽しさ・大切さを実感させることができる。
【図面の簡単な説明】
【００１２】
【図１】本考案に係るソックスの一実施形態を示す正面図
【図２】図１の背面図
【図３】図１の着用状態における足の裏側を示す下面図
【考案を実施するための形態】
【００１３】
以下、本考案につき図面を参照してさらに詳しく説明する。図１〜図３は本考案に係るソックスの一実施形態を示すもので、図１は正面図、図２は図１の背面図、図３は着用状態における下面図である。なお、図１〜図３は、右足用を例示している。
【００１４】
図１〜図３に示すソックス１は右足用のものであり、口ゴム部２と、内外の踝を含む足首に装着される足首部３と、踵を覆う踵部４と、足の甲を覆う足甲部５と、拇趾球および小趾球ならびに土踏まずを含む足の裏を覆う足裏部６と、爪先を覆う爪先部７とを有している。なお、上記各部の材質は適宜選択することができる。
【００１５】
本例のソックス１は、着用状態において足および／または足首に対して部分的に圧力を加える着圧領域２１が設けられている。ここで、説明の便宜上、口ゴム部２および着圧領域２１を除く他の部分を、ソックス本体部１ａと記す。
【００１６】
本例の着圧領域２１は、第１〜第５着圧領域２２、２３、２４、２５、２６の５つの着圧領域２１（符号２１は、第１〜第５着圧領域２２、２３、２４、２５、２６を総称する。）を有している。
【００１７】
前記第１着圧領域２２は、着用状態において拇趾球への荷重を促すためのものであり、足首部３の内側の踝部３ａから足甲部５の中央部の内側を介して足裏部６の拇趾球部６ａを越えて伸びる領域に全体として帯状に設けられている。なお、本例の第１着圧領域２２に内包されている拇趾球部６ａは、着用時に拇趾球の位置を確かめながら着用させるために、着圧領域２１とされておらず、ソックス本体部１ａの一部を構成するとともに、ソックス本体部１ａおよび着圧領域２１とは異なる色彩で円形に形成されている。この拇趾球部６ａの色彩は適宜選択することができる。
【００１８】
前記第２着圧領域２３は、着用状態において小趾球への荷重を促すためのものであり、足首部３の外側の踝部３ｂから足甲部５の中央部の外側を介して足裏部６の小趾球部６ｂを越えて伸びる領域に全体として帯状に設けられている。なお、本例の第２着圧領域２３に内包されている小趾球部６ｂは、拇趾球部６ａと同様に、着用時に小趾球の位置を確かめながら着用させるために、着圧領域２１とされておらず、ソックス本体部１ａの一部を構成するとともに、ソックス本体部１ａおよび着圧領域２１とは異なる色彩で円形に形成されている。この小趾球部６ｂの色彩は適宜選択することができる。
【００１９】
本例の小趾球部６ｂには、左右である左足用および右足用を判別するための判別マーク３１、具体的には右足用であることを示す「Ｒ」の文字が形成されている。勿論、図示しない左足用のソックス１の小趾球部６ｂには、左足用であることを示す判別マーク３１、具体的には「Ｌ」の文字が形成されている。この判別マーク３１を設けることにより、左右を間違えて履くという誤着用の可能性を低減することができる。なお、判別マーク３１としては、「左」、「右」の文字でもよい。
【００２０】
前記第３着圧領域２４は、踵を固定して踵の軸を安定させるためのものであり、足首部３の内外の両踝部３ａ、３ｂを踵部４を介して最短距離で結ぶ領域に帯状に設けられている。なお、第３着圧領域２４のうちの踵の中央部には、円形の踵マーク部４ａが形成されている。この踵マーク部４ａは、着圧領域２１とされておらず、ソックス本体部１ａの一部を構成するとともに、ソックス本体部１ａおよび着圧領域２１とは異なる色彩、本例においては、母趾球部６ａおよび小趾球部６ｂと同一の色彩とされている。この踵マーク部４ａの色彩は適宜選択することができる。この踵マーク部４ａは、着用状態において、第３着圧領域２４の一部に加圧の弱い部位を形成することで、着用者に踵を意識させることができる。
【００２１】
前記第４着圧領域２５は、足の裏に足裏の長さ方向に対して直交する幅方向に上に凸の横アーチの形成を促すとともに、横アーチを上方に引き上げるためのものであり、足裏部６の土踏まず部６ｃと足甲部５の中央部とを結ぶ領域に環状に設けられている。
【００２２】
前記第５着圧領域２６は、着用状態において足首が後側に移動するのを防止するためのものであり、足首部３の内外の踝部３ａ、３ｂを足首部３の後面を介して結ぶ領域に帯状に設けられている。
【００２３】
前記第１、第２および第３着圧領域２２、２３、２４の３者は、足甲部５の中央部で接続されており、第１、第４および第５着圧領域２２、２５、２６の３者は、内側の踝部３ａで接続されており、第２、第４および第５着圧領域２３、２５、２６の３者は、外側の踝部３ｂで接続されている。そして、このような構成を採用したことにより、全ての着圧領域２１をソックス本体部１ａと容易かつ確実に一体化することができるようになっている。
【００２４】
前記着圧領域２１は、それぞれ他の領域であるソックス本体部１ａに比べて強い圧力を足および／または足首に加えることができるものであり、材質や縫製方法の選択によって着圧力を調整することができる。なお、本例における第１〜第５着圧領域２２〜２６のそれぞれの足に加える圧力、すなわち足を締め付ける力は、同一にされている。
【００２５】
本例のソックス１において、足首部３の内外の両踝部３ａ、３ｂには、踝の位置を示す踝マーク３２が形成されている。本例の踝マーク３２は、着用状態において、踝部３ａ、３ｂの中心部を中心とするほぼ円環状に形成されている。また、踝マーク３２は、着圧領域２１とされておらず、ソックス本体部１ａの一部を構成するとともに、ソックス本体部１ａおよび着圧領域２１とは異なる色彩、本例においては、拇趾球部６ａおよび小趾球部６ｂと同一の色彩が用いられている。なお、踝マーク３２の形状および色は、着用者が容易に認識できる形状および色であればよい。
【００２６】
本例のソックス１は、口ゴム部２の材質として、口ゴム部２に隣接する他の部分であるソックス本体部１ａの一部を構成する足首部３よりも足首に加える圧力（足首を締め付ける力）が小さくなるものが選択されている。これにより、口ゴム部２は、着用状態において、優しい締め付け感で長時間履いても履き心地がよいものとすることができるようになっている。
【００２７】
本例のソックス１は、着用者の立ち方を、疲れにくく理想的な３点立ちに近付けることができ、これにより着用者に姿勢よく歩く楽しさ・大切さを実感させることができる。すなわち、美しい姿勢は、「踵・母趾球・小趾球」の３点で立つことから始まるが、本例のソックス１は、着圧領域２１が足元をしっかりとサポートするため、着用者に踵・母趾球・小趾球の３点の重心を意識させて、美しい姿勢を足元からサポートする。また、本例のソックス１は、３点立ちによる立ち方を容易に行うことができるので、着用者の歩行を、踵、小指の付け根、親指の付け根の順に踏み出す正しい歩行方法である３点歩行に導くことができる。
【００２８】
より詳しくは、本例のソックス１は、下記の効果を奏する。
（１）第１および第２着圧領域２２、２３による効果
・内側の踝から母趾球にわたる部分および外側の踝から小趾球にわたる部分のそれぞれに圧力をかけることにより、足首の歪み、すなわち足元のブレを軽減するとともに、後方荷重を防止する。
・母趾球および小趾球のそれぞれの周囲に圧力をかけることにより、母趾球および小趾球への荷重を促し、着用者に良い姿勢を意識させることができるとともに、母趾球および小趾球のそれぞれをしっかりとサポートする。
（２）第３着圧領域２４による効果
・内側の踝と外側の踝にわたる部分に圧力をかけることにより、踵を固定して足首の軸を安定させることができる。
（３）第４着圧領域２５による効果
・足裏の土踏まずと足の甲の中央部とを環状に包むように圧力をかけることにより、足の裏に、足裏の長さ方向に対して直交する幅方向に上に凸の横アーチの形成を促すとともに、横アーチを上方に引き上げることができる。
（４）第５着圧領域２６による効果
・足首の内外の踝を足首の後面を介して結ぶように圧力をかけることにより、着用状態において足首が後側に移動するのを防止することができる。
（５）踝マーク３２による効果
・内外の両踝の位置を確かめながら着用することができるので、着用者に足の正しいバランス、すなわち、足の正しい位置、ひいては、身体の正しいバランスを意識させることができる。
【００２９】
本考案のソックスは上記実施形態に限定されるものではなく、種々の変更が可能である。例えば、着圧領域２１の形状は適宜選択することができる。
【符号の説明】
【００３０】
１  ソックス
２  口ゴム部
３  足首部
３ａ  （内側の）踝部
３ｂ  （外側の）踝部
４  踵部
５  足甲部
６  足裏部
６ａ  母趾球部
６ｂ  小趾球部
６ｃ  土踏まず部
２１  着圧領域
２２  第１着圧領域
２３  第２着圧領域
２４  第３着圧領域
２５  第４着圧領域
２６  第５着圧領域
３１  判別マーク
３２  踝マーク
【図１】
0003161696.tif 000003
【図２】
0003161696.tif 000004
【図３】
0003161696.tif 000005